(57)【要約】【課題】ソフトウェアの動作負荷を低減するとともに、車載機器側における再生関連時間を正確に表示する。【解決手段】通信機能を有する携帯型プレーヤ１３と通信ネットワークを介して接続される車載用オーディオビジュアル装置１１であって、携帯型プレーヤにより再生された情報に基づいて情報再生を携帯型プレーヤ１３と協働して行うに際し、携帯型プレーヤ１３より通信ネットワークを介して所定タイミング毎に間欠的に再生関連時間情報を受信し、受信した再生関連時間情報に対応する再生関連時間を更新しつつ表示する。【選択図】図７
2009026377.tif 000002
【特許請求の範囲】
【請求項１】
通信機能を有する携帯型情報再生装置と通信ネットワークを介して接続される車載情報再生装置であって、
前記携帯型情報再生装置により再生された情報に基づいて情報再生を前記携帯型情報再生装置と協働して行うに際し、前記携帯型情報再生装置より前記通信ネットワークを介して所定タイミング毎に間欠的に再生関連時間情報を受信する再生関連時間情報受信部と、
受信した再生関連時間情報に対応する再生関連時間を更新しつつ表示する再生時間表示部と、
を備えたことを特徴とする車載情報再生装置。
【請求項２】
請求項１記載の車載情報再生装置において、
今回受信した再生関連時間情報に対応する再生関連時間が、前回受信した再生関連時間情報に対応する再生関連時間を更新することにより得られる再生関連時間とずれが生じている場合に、次回の再生関連時間情報受信までに前記ずれが所定量以下となるように補正しつつ、前記再生時間表示部に表示させる表示時間補正部を備えたことを特徴とする車載情報再生装置。
【請求項３】
請求項１または請求項２記載の車載情報再生装置において、
前記所定タイミング毎に前記携帯型情報再生装置に対し、前記再生関連時間情報の送信要求を行う情報要求部を備えたことを特徴とする車載情報再生装置。
【請求項４】
請求項１ないし請求項３のいずれかに記載の車載情報再生装置において、
前記再生関連時間は、再生経過時間あるいは再生残時間であることを特徴とする車載情報再生装置。
【請求項５】
請求項１ないし請求項４のいずれかに記載の車載情報再生装置と前記通信ネットワークを介して接続される携帯型情報再生装置であって、
前記通信ネットワークを介して再生関連情報を送信する再生関連時間情報送信部を備えたことを特徴とする携帯型情報再生装置。
【請求項６】
請求項３記載の車載情報再生装置と前記通信ネットワークを介して接続される携帯型情報再生装置であって、
前記通信ネットワークを介して受信した前記送信要求を受けて、前記通信ネットワークを介して再生関連情報を送信する再生関連時間情報送信部を備えたことを特徴とする携帯型情報再生装置。
【請求項７】
通信機能を有する携帯型情報再生装置と通信ネットワークを介して接続される車載情報再生装置を制御するための車載情報再生装置の制御方法であって、
前記携帯型情報再生装置により再生された情報に基づいて情報再生を前記携帯型情報再生装置と協働して行うに際し、前記携帯型情報再生装置より前記通信ネットワークを介して所定タイミング毎に間欠的に再生関連時間情報を受信する再生関連時間情報受信過程と、
受信した再生関連時間情報に対応する再生関連時間を更新しつつ表示する再生時間表示過程と、
を備えたことを特徴とする車載情報再生装置の制御方法。
【請求項８】
通信機能を有する携帯型情報再生装置と通信ネットワークを介して接続される車載情報再生装置を制御するための車載情報再生装置をコンピュータにより制御するための制御プログラムであって、
前記携帯型情報再生装置により再生された情報に基づいて情報再生を前記携帯型情報再生装置と協働して行うに際し、前記携帯型情報再生装置より前記通信ネットワークを介して所定タイミング毎に間欠的に再生関連時間情報を受信させ、
受信させた再生関連時間情報に対応する再生関連時間を更新させつつ表示させる、
ことを特徴とする制御プログラム。
【発明の詳細な説明】
【技術分野】
【０００１】
本発明は、音楽や画像を車両において再生するための車載情報再生装置、携帯型情報再生装置、車載情報再生装置の制御方法および制御プログラムに係り、特に再生経過時間、再生残時間などの再生関連時間情報を表示するための技術に関する。
【背景技術】
【０００２】
近年、携帯型情報再生装置としての携帯音楽プレーヤは、コンパクトに構成されている上、大量の音楽データを持ちは込むことが可能となっているため、車両に携帯音楽プレーヤを持ち込んで、車載オーディオシステムに接続して再生を行いたいというニーズが多くなっており、これを実現するためのシステムも様々提案されている（例えば、特許文献１参照）。
しかしながら、携帯音楽プレーヤを単純に車載オーディオシステムに接続した場合には、再生操作を直接携帯音楽プレーヤ側で行う必要があるため、安全面からは好ましくないという問題点があった。
これを解決するため、携帯音楽プレーヤを車載オーディオシステムの操作パネルの操作によって制御可能とするために無線通信ネットワークを介して車載オーディオシステムに接続し、携帯音楽プレーヤは車載オーディオシステム側からの指示にしたがって、曲の再生、再生曲の切り換え、トリックプレーの切換等を行うようにするものが提案されている。
【０００３】
この場合において、再生曲の再生経過時間、再生残時間等の再生関連時間は、携帯音楽プレーヤ側で管理しているため、車載オーディオシステム側で再生関連時間を表示する場合には、車載オーディオシステムが携帯音楽プレーヤ側に当該車載オーディオシステムの表示更新タイミング毎（例えば、１秒毎）に問い合わせを行い、携帯音楽プレーヤの応答に含まれる再生関連時間情報に基づいて車載オーディオシステム側で表示する再生関連時間を更新するようにしていた。
【特許文献１】特開２００２−１７８８５７号公報
【発明の開示】
【発明が解決しようとする課題】
【０００４】
上記構成によれば、無線通信ネットワークを介した再生関連時間情報の要求および応答には、一定の実行時間を要することとなるが、無線環境の悪化や、同時並行処理している他のコマンドの実行により再生関連時間情報の表示更新が遅くなり、再生動作が不安定になってしまうこととなっていた。
また、無線通信ネットワークを介したデータのやりとりには、その手順の複雑さのため、ソフトウェアの実行に要する負荷も大きくなってしまう。
そこで、本発明の目的は、ソフトウェアの動作負荷を低減するとともに、車載機器側における再生関連時間を正確に表示することが可能な車載情報再生装置、携帯型情報再生装置、車載情報再生装置の制御方法および制御プログラムを提供することにある。
【課題を解決するための手段】
【０００５】
上記課題を解決するため、本発明の第１の態様は、通信機能を有する携帯型情報再生装置と通信ネットワークを介して接続される車載情報再生装置であって、前記携帯型情報再生装置により再生された情報に基づいて情報再生を前記携帯型情報再生装置と協働して行うに際し、前記携帯型情報再生装置より前記通信ネットワークを介して所定タイミング毎に間欠的に再生関連時間情報を受信する再生関連時間情報受信部と、受信した再生関連時間情報に対応する再生関連時間を更新しつつ表示する再生時間表示部と、を備えたことを特徴としている。
上記構成によれば、再生関連時間情報受信部は、前記携帯型情報再生装置により再生された情報に基づいて情報再生を前記携帯型情報再生装置と協働して行うに際し、前記携帯型情報再生装置より前記通信ネットワークを介して所定タイミング毎に間欠的に再生関連時間情報を受信する。
再生時間表示部は、受信した再生関連時間情報に対応する再生関連時間を更新しつつ表示する。
【０００６】
また、第２の態様は、第１の態様において、今回受信した再生関連時間情報に対応する再生関連時間が、前回受信した再生関連時間情報に対応する再生関連時間を更新することにより得られる再生関連時間とずれが生じている場合に、次回の再生関連時間情報受信までに前記ずれが所定量以下となるように補正しつつ、前記再生時間表示部に表示させる表示時間補正部を備えたことを特徴としている。
また、第３の態様は、第１の態様または第２の態様において、前記所定タイミング毎に前記携帯型情報再生装置に対し、前記再生関連時間情報の送信要求を行う情報要求部を備えたことを特徴としている。
また、第４の態様は、第１の態様ないし第３の態様のいずれかに記載の態様において、前記再生関連時間は、再生経過時間あるいは再生残時間であることを特徴としている。
【０００７】
また、第５の態様は、第１の態様ないし第４の態様のいずれかに記載の車載情報再生装置と前記通信ネットワークを介して接続される携帯型情報再生装置であって、前記通信ネットワークを介して再生関連情報を送信する再生関連時間情報送信部を備えたことを特徴としている。
また、第６の態様は、第３の態様の車載情報再生装置と前記通信ネットワークを介して接続される携帯型情報再生装置であって、前記通信ネットワークを介して受信した前記送信要求を受けて、前記通信ネットワークを介して再生関連情報を送信する再生関連時間情報送信部を備えたことを特徴としている。
【０００８】
また、第７の態様は、通信機能を有する携帯型情報再生装置と通信ネットワークを介して接続される車載情報再生装置を制御するための車載情報再生装置の制御方法であって、前記携帯型情報再生装置により再生された情報に基づいて情報再生を前記携帯型情報再生装置と協働して行うに際し、前記携帯型情報再生装置より前記通信ネットワークを介して所定タイミング毎に間欠的に再生関連時間情報を受信する再生関連時間情報受信過程と、受信した再生関連時間情報に対応する再生関連時間を更新しつつ表示する再生時間表示過程と、を備えたことを特徴としている。
【０００９】
また、第８の態様は、通信機能を有する携帯型情報再生装置と通信ネットワークを介して接続される車載情報再生装置を制御するための車載情報再生装置をコンピュータにより制御するための制御プログラムであって、前記携帯型情報再生装置により再生された情報に基づいて情報再生を前記携帯型情報再生装置と協働して行うに際し、前記携帯型情報再生装置より前記通信ネットワークを介して所定タイミング毎に間欠的に再生関連時間情報を受信させ、受信させた再生関連時間情報に対応する再生関連時間を更新させつつ表示させる、ことを特徴としている。
【発明の効果】
【００１０】
本発明によれば、ソフトウェアの動作負荷を低減するとともに、車載機器側における再生関連時間を正確に表示することができる。
【発明を実施するための最良の形態】
【００１１】
次に本発明の好適な実施の携帯について説明する。
図１は、車載用オーディオビジュアルシステムの主要構成を示すブロック図である。
車載用オーディオビジュアルシステム１０は、大別すると、車両に搭載された車載用オーディオビジュアル装置１１と、車載用オーディオビジュアル装置１１に近距離無線通信ネットワークとして構成された無線ネットワーク１２を介して接続され、車載用オーディオビジュアル装置１１にオーディオ信号あるいはビデオ信号を出力する携帯型プレーヤ１３と、を備えている。
【００１２】
図２は、車載用オーディオビジュアル装置の概要構成ブロック図である。
車載用オーディオビジュアル装置１１は、大別すると、コントロール部２１、操作部２２、表示部２３、画像処理部２４、記録媒体再生部２５、パワーアンプ部２６、スピーカユニット２７および無線通信部２８を備えている。
【００１３】
コントロール部２１は、車載用オーディオビジュアル装置１１全体を制御するコンピュータとして機能するものであり、ＣＰＵ（Ｃｅｎｔｒａｌ  Ｐｒｏｃｅｓｓｉｎｇ  Ｕｎｉｔ）３１、ＣＰＵ３１が実行する制御プログラムを格納するＲＯＭ（Ｒｅａｄ  Ｏｎｌｙ  Ｍｅｍｏｒｙ）３２、各種データを一時的に格納するＲＡＭ（Ｒａｎｄｏｍ  Ａｃｃｅｓｓ  Ｍｅｍｏｒｙ）３３を備えている。
操作部２２は、ユーザが操作する操作スイッチを備え、操作スイッチを介してユーザからの動作指示を入力してコントロール部２１に通知する。
表示部２３は、液晶ディスプレイを備え、コントロール部２１の制御の下、文字画像を含む各種画像（静止画、動画）を表示する。
【００１４】
画像処理部２４は、入力された画像データのデコードを行い、画像信号として表示部２３に出力する。
記録媒体再生部２５は、ＣＤやＤＶＤ等の光ディスク媒体あるいはメモリカードなどの半導体記録媒体の再生装置を備え、コントロール部２１の制御に従って、ＣＤ、ＤＶＤあるいはメモリカードに記録された音声データを読み出し、デコード処理を施して、音声アナログ信号を生成し、パワーアンプ部２６に出力する。また、記録媒体再生部は、コントロール部２１の制御に従って、ＣＤ、ＤＶＤあるいはメモリカードに記録された画像データ（静止画データあるいは動画データ）を読み出し、画像処理部２４に出力する。
図３は、携帯型プレーヤの概要構成ブロック図である。
携帯型プレーヤ１３は、大別すると、コントロール部４１、操作部４２、表示部４３、記録媒体再生部４４、画像処理部４５、ヘッドホンアンプ部４６および無線通信部４７を備えている。
【００１５】
コントロール部４１は、車載用オーディオビジュアル装置１１全体を制御するコンピュータとして機能するものであり、ＣＰＵ５１、ＣＰＵ５１が実行する制御プログラムを格納するＲＯＭ５２、各種データを一時的に格納するＲＡＭ５３を備えている。
操作部４２は、ユーザが操作する操作スイッチを備え、操作スイッチを介してユーザからの動作指示を入力してコントロール部２１に通知する。
表示部４３は、液晶ディスプレイを備え、コントロール部２１の制御の下、文字画像を含む各種画像（静止画、動画）を表示する。
【００１６】
記録媒体再生部４４は、ハードディスク等の磁気記録媒体あるいはメモリカードなどの半導体記録媒体の再生装置を備え、コントロール部２１の制御に従って、ハードディスクあるいはメモリカードに記録された音声データを読み出し、デコード処理を施して、音声アナログ信号を生成し、ヘッドホンアンプ部４６に出力する。また、記録媒体再生部４４、コントロール部２１の制御に従って、ハードディスクあるいはメモリカードに記録された画像データ（静止画データあるいは動画データ）を読み出し、画像処理部４５に出力する。
画像処理部４５は、入力された画像データのデコードを行い、画像信号として表示部４３に出力する。
【００１７】
次に実施形態の車載用音響システムの動作について説明する。
図４は、実施形態の処理フローチャートである。
まず、車載用オーディオビジュアル装置１１のコントロール部２１は、携帯型プレーヤ１３との無線ネットワーク１２を介した無線接続確立時あるいは再生対象（再生曲あるいは再生画像）の変化時に再生関連時間情報を取得する（ステップＳ１）。ここで、再生対象の変化時とは、再生曲あるいは再生画像が変更された場合（ユーザの操作によるものおよび自動連続再生動作によるものを含む）、早送りや早戻しを行った場合、一時停止が解除された場合などである。
【００１８】
より詳細には、コントロール部２１は、携帯型プレーヤ１３に対し、所定の手順で再生関連情報の問い合わせを行い、これに対し、携帯型プレーヤ１３は、無線通信部４７を介してこれから再生を行う曲あるいは画像の再生経過時間に対応する第１再生時間データを送信する。
以下、具体例を挙げて説明する。
図５は、初期状態における動作説明図である。
携帯型プレーヤ１３は、現在の再生曲の再生経過時間が、図５に示すように、２分３２秒である場合には、当該再生経過時間「０２：３２」に対応する第１再生時間データを所定のフォーマットで送信する。
【００１９】
図６は、第１再生時間データのデータフォーマットの一例の説明図である。
第１再生時間データ６０は、送信先アドレスおよび送信元アドレスを含むヘッダ部６１と、データ内容を表すデータ種別部６２と、実際の第１再生時間データが格納されるデータ部６３と、を備えている。
続いて、車載用オーディオビジュアル装置１１のコントロール部２１は、表示部２３に表示する再生時間（プレイタイム）を１秒おきに自動更新して表示する（ステップＳ２）。
図７は、自動更新時の動作説明図である。
ステップＳ１において受信した再生経過時間「０２：３２」から１秒が経過すると、コントロール部２１は、内部タイマなどの基準クロックにしたがって、再生経過時間を自分で更新し、表示部２３に表示する再生時間（プレイタイム）を「０２：３３」とする。
【００２０】
これと並行して携帯型プレーヤ１３は、独自に再生経過時間を更新し、「０２：３３」とすることとなる。
次にコントロール部２１は、再生時間を所定回数（本実施形態では、１０回）更新したか否かを判別する（ステップＳ３）。
ステップＳ３の判別において、未だ再生時間を所定回数更新していない場合には（ステップＳ３；Ｎｏ）、コントロール部２１は、再び処理をステップＳ２に移行し、同様の処理を行う。
ステップＳ３の判別において、再生時間を所定回数更新した場合には（ステップＳ３；Ｙｅｓ）、コントロール部２１は、再び携帯型プレーヤ１３に対し、所定の手順で再生関連時間情報の送信を要求する（ステップＳ４）。
これにより、携帯型プレーヤ１３は、無線通信部４７を介して現在の再生時間に対応する第１再生時間データを送信する。
これらの結果、コントロール部２１は、自己が表示部２３に表示している再生経過時間と、第１再生時間データに対応する再生経過時間と、の間にずれが生じているか否かを判別する（ステップＳ５）。
【００２１】
ステップＳ５の判別において、自己の表示している再生経過時間と、第１再生時間データに対応する再生経過時間と、の間にずれが生じていない場合には（ステップＳ５；Ｎｏ）、処理を再びステップＳ２に移行し、以下同様の処理を行う。
ステップＳ５の判別において、自己の表示している再生経過時間と、第１再生時間データに対応する再生経過時間と、の間にずれが生じている場合には（ステップＳ５；Ｙｅｓ）、そのずれ量を算出する（ステップＳ６）。
より詳細には、携帯型プレーヤ１３の表示している再生経過時間ＴＤ１と、車載用オーディオビジュアル装置１１の表示部２３に表示している再生経過時間ＴＤ２の差ΔＴを次式により算出する。
ΔＴ＝ＴＤ１−ＴＤ２
図８は、ずれ補正時の動作説明図である。
具体的には、図８に示すような場合、携帯型プレーヤ１３の再生経過時間ＴＤ１＝９：３７と、車載用オーディオビジュアル装置１１の表示部の再生経過時間ＴＤ２＝９：３５と、に基づいて、
ΔＴ＝９：３７−９：３５
＝０：０２
となり、差ΔＴ＝２秒を算出することとなる。
【００２２】
次にコントロール部２１は、ずれを補正するために、１秒ごとの表示更新を次式に示すＴＮ秒毎の表示更新として、再生関連情報の取得タイミング間隔ＴＰ以内に修正を完了するように表示更新時間ＴＮを次式により算出する。
ＴＮ＝ＴＰ／（ＴＰ＋ΔＴ）
具体的には、上述の例の場合、取得タイミング間隔ＴＰ＝１０秒であるので、
ＴＮ＝１０／（１０＋２）
＝０．８３（秒）
となるので、車載用オーディオビジュアル装置１１のコントロール部２１は、表示部２３を制御して０．８３秒ごとに表示時刻を秒単位で更新する。すなわち、０．８３秒ごとに１秒表示時刻を更新することとなる。
この結果、車載用オーディオビジュアル装置１１の表示部の再生経過時間ＴＤ２は、経過時間ＴＰの経過後に携帯型プレーヤ１３の再生経過時間ＴＤ１と等しくなり、ずれが補正されることがわかる。
【００２３】
以上の説明のように、ずれが生じた場合には、次回の再生関連時間情報の要求タイミングまでに徐々にずれを補正するので、ユーザに違和感を感じさせることなく、再生経過時間などの再生関連時間情報を補正することができ、誤差の少ない再生関連時間情報を表示することができる。
以上の説明のように、本実施形態によれば、問い合わせ頻度を上げず、かつ、ユーザに違和感を与えることなく、車載用オーディオビジュアル装置１１の表示部２３における再生経過時間を補正することが可能となる。
以上の説明は、再生経過時間についての補正であったが、再生残り時間であっても同様に補正することが可能である。
【００２４】
以上の説明においては、上記各機能を実現するための制御プログラムが、予めＲＯＭに格納されている場合について説明したが、制御プログラムを、コンピュータ読取可能な記録媒体に記録するようにしてもよい。このような構成であれば、コンピュータによってプログラムが記憶媒体から読み取られ、読み取られたプログラムに従ってコンピュータが処理を実行すると、上記実施形態の車載用音響システムと同等の作用および効果が得られる。
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、どのような記憶媒体であってもよい。
また、インターネット、ＬＡＮなどの通信ネットワークを介して制御用プログラムをダウンロードし、インストールして実行するように構成することも可能である。
【図面の簡単な説明】
【００２５】
【図１】車載用オーディオビジュアルシステムの主要構成を示すブロック図である。
【図２】車載用オーディオビジュアル装置の概要構成ブロック図である。
【図３】携帯型プレーヤの概要構成ブロック図である。
【図４】実施形態の処理フローチャートである。
【図５】初期状態における動作説明図である。
【図６】第１再生時間データのデータフォーマットの一例の説明図である。
【図７】自動更新時の動作説明図である。
【図８】ずれ補正時の動作説明図である。車載用音響システムの主要構成を示すブロック図である。
【符号の説明】
【００２６】
１０    車載用オーディオビジュアルシステム
１１    車載用オーディオビジュアル装置
１２    無線ネットワーク
１３    携帯型プレーヤ
２１    コントロール部
２２    操作部
２３    表示部
２４    画像処理部
２５    記録媒体再生部
２６    パワーアンプ部
２７    スピーカユニット
２８    無線通信部
３１    ＣＰＵ
３２    ２分
４１    コントロール部
４２    操作部
４３    表示部
４４    記録媒体再生部
４５    画像処理部
４６    ヘッドホンアンプ部
４７    無線通信部
５１    ＣＰＵ
５２    ＲＯＭ
５３    ＲＡＭ
６０    第１再生時間データ
６１    ヘッダ部
６２    データ種別部
６３    データ部
【図１】
2009026377.tif 000003
【図２】
2009026377.tif 000004
【図３】
2009026377.tif 000005
【図４】
2009026377.tif 000006
【図５】
2009026377.tif 000007
【図６】
2009026377.tif 000008
【図７】
2009026377.tif 000009
【図８】
2009026377.tif 000010